【事件の表示】
　平成９年特許願第１３８７２０号「画像表示装置および分類制御プログラムを記録した記録媒体」拒絶査定不服審判事件〔平成１０年１２月１８日出願公開、特開平１０−３３４２１４〕について、次のとおり審決する。
【結　論】
　本件審判の請求は、成り立たない。
【理　由】
第１．手続の経緯
　本願は、平成９年５月２８日の出願であって、平成２０年１月１５日付けで拒絶査定がなされ、これに対し、同年２月２１日に審判請求がなされるとともに、同年３月２１日付けで手続補正がなされたものである。
　
第２．平成２０年３月２１日付けの手続補正についての補正却下の決定
［補正却下の決定の結論］
　　平成２０年３月２１日付けの手続補正を却下する。
［理由］
１．補正の内容
　請求人は、上記手続補正により、特許請求の範囲の請求項および発明の詳細な説明の補正を行った。その補正のうち、請求項１の補正の内容は次のとおりである。
（ア）補正前の「表示手段」を「
単一の
（イ）「編集手段」について、補正前が「画像の表示属性を各分類に含まれる１駒またはすべての駒に対して編集可能」であったのを、「
画像の回転、画像のズーミングおよびパン、プリントタイプの何れか一つが含まれる
　
２．補正の適否（新規事項）
　上記（ア）の補正は、「表示手段」を限定する補正であるから適法である。
　上記（イ）の補正について、「画像の回転、画像のズーミングおよびパン、プリントタイプの何れか一つが含まれる画像の表示属性を各分類に含まれる１駒またはすべての駒に対して編集可能」とすることは、願書に最初に添付した明細書又は図面（以下、「明細書等」という）には記載されていない。「１駒またはすべての駒に対して編集可能」とすることは、表示属性が「画像の回転」である場合についてのみが明細書等（【００２６】−【００３０】、【図９】）に記載されているのであって、明細書等には、表示属性が「画像のズーミングおよびパン」、「プリントタイプ」である場合については「１駒に対して編集可能」であることしか記載されていない。
　したがって、この補正は、「画像のズーミングおよびパン」、「プリントタイプ」についても「すべての駒に対して編集可能」であるという新規事項を追加する補正であり、また、この事項は明細書等から自明な事項でもない。
　よって、この補正は、願書に最初に添付した明細書又は図面に記載した事項の範囲内においてしたものではないから、特許法第１７条の２第３項の規定に違反してなされたものである。
　
３．補正の適否（独立特許要件）　
　また、上記（イ）の補正について、「１駒またはすべての駒に対して編集可能」との記載が、上述したような、１つの表示属性について１駒に対してもすべての駒に対しても編集可能であるという意味ではなく、ある表示属性については、１駒に対してのみ編集可能でありすべての駒に対しては編集可能でないということを含んでいる場合について検討する（実施例では、表示属性が画像の回転である場合は、１駒に対してもすべての駒に対しても編集可能であるが、画像のズーミングおよびパン、プリントタイプの場合は、１駒に対してのみ編集可能である）。
　この場合には、上記（イ）の補正は、願書に最初に添付した明細書又は図面に記載した事項の範囲内においてしたものであり、本件補正による補正後の請求項１に係る発明は、補正前の請求項３に係る発明を上記（ア）の補正により限縮したものと考えられる。
　そこで、本件補正が、平成１８年法律第５５号改正附則第３条第１項によりなお従前の例によるとされる同法による改正前の特許法（以下、平成１８年改正前特許法という）第１７条の２第４項第２号の規定による特許請求の範囲の減縮を目的とするものであるとして、補正後の請求項１に係る発明（以下、「本願補正発明」という）が平成１８年改正前特許法第１７条の２第５項において準用する同法第１２６条第５項の規定による特許出願の際独立して特許を受けられるものであるか否かについて、以下に検討する。
　
（１）本願補正発明
　本願補正発明は、平成２０年３月２１日付けの手続補正書の特許請求の範囲の請求項１に記載された事項により特定される以下のとおりのものである。
　
「記録媒体に記録された複数の画像を指示にしたがって分類可能とし、その分類情報を記録する分類手段と、
　前記分類手段によって前記分類された複数の画像を画面上に一覧表示、または前記複数の画像の内の任意の１駒の画像を表示する単一の表示手段と、
　前記表示手段によって前記一覧表示された画面上、および前記１駒が表示された画面上の何れにおいても、画像の回転、画像のズーミングおよびパン、プリントタイプの何れか一つが含まれる画像の表示属性を各分類に含まれる１駒またはすべての駒に対して編集可能とし、前記表示手段の前記一覧表示された画面上または前記１駒が表示された画面上の画像を編集後の画像に切り換える編集手段と、
　前記編集手段によって編集された前記表示属性を前記画像とともに記録する記録手段とを備えたことを特徴とする画像表示装置。」
　
（２）刊行物
　これに対して、原査定で引用された本願の出願前に頒布された刊行物である特開平６−１７８０８２号公報（以下、「刊行物１」という）には、次の事項が記載されている。
ア．「【０００１】
【産業上の利用分野】本発明は、複数の入力画像に基づいて編集を行う画像編集方法に関する。
【０００２】
【従来の技術】従来から、複数の画像を入力し、所定のレイアウトに従って編集して出力するようにしたものがある（特公平４−２１３８３号公報参照）。
【０００３】
【発明が解決しようとする課題】しかしながら、このものは、入力ドラムより画像（原稿）を入力し、編集した画像を出力ドラムに出力するものであり、またディスプレイには編集後の画像のみを出力するものであるため、編集に際して、実際に読込んだ入力画像を見ることができない。このため、予め入力画像について整理し、構成を考えた上で作業をする必要があり、作業は熟練を要し、専門的になるという問題点があった。
【０００４】本発明は、このような実情に鑑み、編集可能な複数の入力画像を操作者が表示装置上で見て編集を行うことができるようにすることを目的とする。」
　
イ．「【００１１】
【実施例】以下に本発明の実施例を説明する。尚、現像済みの写真フィルムから複数の画像を読込んで編集する例で説明する。
　図１はシステム全体の外観図である。フィルム読取装置を兼ねる画像編集装置１のテーブル上にはカセット挿入口２と操作用タッチパネル３とが設けられている。また、入力画像表示用の第１ＣＲＴ４と出力画像表示用の第２ＣＲＴ５とが並べられて設けられている。そして、この画像編集装置１には、反射原稿を読込むためのスキャナー６を備えるプリンター７を接続可能である。」
　
ウ．「【００２０】次にこの画像編集装置１における編集作業の流れを図４〜図30を参照して説明する。尚、図４〜図30において、「ＬＣＤ」の欄には液晶式タッチパネル３の画面を示し、「ＣＲＴ１」の欄には第１ＣＲＴ４の画面を示し、「ＣＲＴ２」の欄には第２ＣＲＴ５の画面を示している。
　この画像編集装置１を起動すると、図４に示すように、タッチパネルの画面に、インデックスプリント（51）、アルバム（52）、フリーレイアウト（53）、ポストカード（54）、カレンダー（55）のモード選択メニューがその選択ボタンと共にアイコン表示される。
【００２１】そして、いずれかが選択されると、タッチパネルの画面によりカセット挿入の指示がなされ、挿入後のスタートボタンの操作により、カセットからの読取りが開始される。
　このときは、カセット20内の複数のフィルムホルダ12を次々と副走査テーブル25上に搬送して、全てのフィルムホルダ12から全ての駒の画像を高速度で粗く読取る（ラフスキャン）。
【００２２】このラフスキャンは、フィルムホルダ12毎に２回行い、１回目のものをプリスキャンといい、２回目のものをインデックススキャンと呼ぶ。すなわち、１回目に８倍速のプリスキャンで画像データを得て、これに基づいて、ヒストグラム演算器82（図32）を通して、補正データを作成し、２回目の８倍速のインデックススキャンで補正データにより補正しつつ画像データを得るのである。ラフスキャンで得られた画像データはフレームメモリ83（図32）に記憶され、編集、表示に用いられる。
【００２３】画面上では、プリスキャン毎に、図５に示すように、タッチパネル上にプリスキャン中であることを表示すると共に、第１ＣＲＴ上にフィルムホルダ12毎にプリスキャンした画像を横に並べてインデックス表示する。そして、インデックススキャン毎に、図６に示すように、タッチパネル上にインデックススキャン中であることを表示すると共に、第１ＣＲＴ上にインデックススキャンして補正した画像を次々と上書きする。
【００２４】このようにして、最大で６駒×７ホルダ＝42駒（フレーム）の画像が読取られると、第１ＣＲＴは図７に示すようなインデックス表示状態となる。
　また、写真フィルムからの画像の他、反射原稿からの画像を入力可能であり、タッチパネル上で反射原稿の読込みをする旨の入力をすると、43フレーム以降に反射原稿の画像が読取られ、インデックス表示される。
【００２５】インデックス表示の完了後、各モードが実行される。
　インデックスプリント・モードの場合は、先ず図８の状態になり、タッチパネルがインデックスフォーマット（56，57）の選択画面になる。
　第１ＣＲＴ上にはインデックス表示がなされているが、このとき横一列毎に天地反転用のボタン（58）が設定されており、いずれかのボタンに触れることにより対応する列の天地を反転することが可能である。逆送フィルムあるいは逆装着などの場合は少なくとも１ホルダ分が全て倒立になっているので、１度の操作で全て直せればスピードアップになる。」
　
エ．「【００２８】このようにしてインデックスプリント用の画像データがページメモリ84（図31）上に作成されると、これがプリンター７に送られて、プリントアウトされる。
　アルバム・モードの場合は、先ず図11に示すようなフォーマット選択画面となる。フォーマット選択後、図12に示すようなフレーム（駒）選択画面となり、このとき第２ＣＲＴには選択されたフォーマットが表示され、フレームが選択されると、選択されたフレームが第２ＣＲＴのフォーマット上に書込まれる。
【００２９】ここでのフレームの選択は、タッチパネル上のフレーム選択ボタン（62）により行い、いずれかのボタンの操作によりフレームが選択されると、第１ＣＲＴ上で選択されたフレームに対して枠付け（63）を行って、選択されたことを明らかにする。すなわち、インデックス表示の中から画像が選択された際に、インデックス表示中の選択された画像の表示を他の画像の表示と異ならせて、選択されたことを明らかにするのである。また、このときは、インデックス表示を続けると共に、第２ＣＲＴ上で選択された画像の拡大表示を並行して行っている。
【００３０】また、この選択の際、タテ位置で撮影した画像を正立させたい場合などは、図13に示すように、タッチパネル上のフレーム選択ボタンをタッチするときに、そのボタンにおいて上にしたい部分（例えば図示Ａ領域）にタッチすれば、天地を変更できるようにする。すなわち、ボタンの右側のＡ領域にタッチした場合は画像の右側を上、左側のＢ領域にタッチした場合は画像の左側を上、下側のＣ領域にタッチした場合は画像を倒立にし、その他の領域の場合はそのままにするのである。このようにタッチした領域により天地変更の指示を同時に行うようにすれば、操作が簡単になる。
【００３１】このようにしてアルバムのページ編集が完了すると、選択されたフレームについてファインスキャンを行って、補正処理を行いつつ、プリント用の画像データを得る。そして、ページメモリ84（図31）上に１ページの画像が完成すると、これをプリンター７に送って、プリントアウトする。」
　
オ．「【００３４】次に前述の各モードにおけるフレーム選択画面（図24参照）からタッチパネル上に設定された補正ボタン（68）の操作により行われる各種補正モードについて説明する。
　天地変更モードにおいては、図25に示すように、天地方向選択ボタン（69）を操作することにより、第２ＣＲＴ上の画像の天地を変更できる。」
　
カ．「【００３７】第1トリミングモードにおいては、図29に示すように、トリミング枠（79）に対するズーミングボタン（78）と位置設定ボタン（79）とにより、ズーミングによるトリミングが可能である。」
　
キ．「【００３８】以上のような補正処理は、図31及び図32に示す画像処理部のＣＰＵ87が、データ変換・マトリクス演算部86、空間フィルタ・色変換部85を操作することによって、行われる。
　尚、タッチパネル、第１及び第２ＣＲＴの構成は一例であり、１台のＣＲＴに重ねて表示させ、また、マウス、トラックボール等の指示手段で作業を行ってもよい。」
　
ク．「【００３９】
【発明の効果】以上説明したように本発明によれば、編集可能な複数の入力画像を操作者が表示装置上で見て、選択し、加工や修正を含む編集を行うことができ、インデックス表示による画像を見ながらの編集であるため、作業が容易で、効率的となり、また操作者の意図通りの結果を得ることができる。
【００４０】また、インデックス表示した画像のうち一連の画像の天地が逆転している場合に、１度の操作で直すことにより、作業のスピードアップが可能になる。選択する画像のみを直せばよいという場合は、画像の選択と天地変更の指示とを同時に行わせることで、操作を簡単化できる。
　また、インデックス表示の中から画像が選択された場合は、インデックス表示と共に、その選択画像の拡大表示により、又は表示を異ならせることにより、選択されたことがはっきりと確認できるようにして、間違いを防止することができる。
【００４１】また、選択した画像に各種補正を行う際に、原画像と、補正操作を行った後の画像とを同時に表示することにより、希望する最適な補正量を容易に得られる。」
　
　以上の記載および図面の記載を総合すれば、刊行物１には以下の発明（以下、「刊行物１発明」という）が記載されている。
　
『複数の画像を画面上にインデックス表示、または前記複数の画像の内の任意の１駒の画像を表示する第1ＣＲＴと、
　前記第１ＣＲＴによって前記インデックス表示された画面上、および前記１駒が表示された画面上の何れにおいても、画像の天地変更、画像のズーミングを表示画面上の１駒または一連の駒に対して編集可能とし、前記第１ＣＲＴの前記インデックス表示された画面上または前記１駒が表示された画面上の画像を編集して第２ＣＲＴに表示する編集手段と、
　とを備えた画像編集装置。』
　
　また、原査定で引用された本願の出願前に頒布された刊行物である特開昭６４−４４１８１号公報（以下、「刊行物２」という）には、次の事項が記載されている。
　
ケ．「上記説明ではディスク１２に記録されている２５枚の画像を同時にモニタ装置３４で表示しているが、勿論、記録画像を複数グループに分け、各グループ毎にモニタ装置３４で表示するようにしてもよい。」（第３頁左下欄第６行−第１０行）
　
　さらに、原査定で引用された本願の出願前に頒布された刊行物である特開平６−２７４５８０号公報（以下、「刊行物３」という）には、次の事項が記載されている。
　
コ．「【００２７】次に、本システムによるアルバム編集機能の詳細を説明する。本実施例でのアルバム編集とは、画像ファイル部２８のディスク中のアルバムの画像をフィルムカートリッジ内の画像や他のアルバム画像間に挿入したり、出画順を変更することで、下記の３つの機能がある。ここに、挿入する画像を含むアルバムを挿入アルバム、挿入されるアルバムを編集アルバムと呼ぶ。第１の機能は、画像ファイル部２８中のアルバム（挿入アルバム）Ｂから駒単位に他のアルバム（編集アルバム）Ａへ挿入し、セーブするもの、第２の機能は、画像ファイル部２８中のアルバム（挿入アルバム）Ｂから駒単位に任意のフィルムカートリッジ画像の間に挿入し、新アルバムＣを作成しディスクにセーブするもの、第３の機能は、画像ファイル部２８中のアルバム（挿入アルバム）Ｂの出画順を変更し、新アルバムＤを作成しディスクにセーブするものである。
【００２８】また、各々のアルバムは、アルバム情報ファイルと画像ファイルとで構成され、画像ファイル部２８に記録されている。アルバム情報ファイルは、図２１に示すように、アルバムタイトルと各駒番号に対応する画像アドレスと情報が収められている。このアルバム情報ファイルだけを作成することで、新しいアルバムが作成できる。つまり、新アルバムにおいて画像ファイルのアドレスを指定するだけで画像をコピーしたり移動する必要なくアルバムが作成でき、メモリ容量の節約と短時間でのアルバム化が可能である。」
　
　以上の記載および【図２１】から、刊行物３には、『駒番号、画像アドレス、および、変更した出画順などの情報からなるアルバム情報ファイルと画像ファイルとをディスクにセーブすること』が記載されている。
　
（３）対比
　本願補正発明と刊行物１発明とを対比する。
　
　刊行物１発明の「インデックス表示」、「第１ＣＲＴ」は、それぞれ、本願補正発明の「一覧表示」、「単一の表示手段」に相当するものであるから、刊行物１発明の「複数の画像を画面上にインデックス表示、または前記複数の画像の内の任意の１駒の画像を表示する第１ＣＲＴ」は、本願補正発明の「複数の画像を画面上に一覧表示、または前記複数の画像の内の任意の１駒の画像を表示する単一の表示手段」に相当するものである。
　
　刊行物１発明の「画像の天地変更」は、「画像の回転」といえる。
　本願補正発明の「各分類に含まれる駒」は、画面上に表示された駒であるから、刊行物１発明の「表示画面上の・・一連の駒に対して編集可能」であることと、本願補正発明の「各分類に含まれる・・すべての駒に対して編集可能」であることとは、「表示画面上の・・複数の駒に対して編集可能」であるという点で共通している。
　刊行物１発明の「画像の天地変更、画像のズーミング」は、画像のファインスキャンを行う前のプリスキャン画像データの表示に対する編集の内容であり、ファインスキャンを行った画像の表示に対する編集を行う時までその内容を記憶しておく必要があることは明らかであるから、この記憶した編集の内容は、「画像の回転、画像のズーミングおよびパン、プリントタイプの何れか一つが含まれる画像の表示属性」といえるものである。
　また、刊行物１発明の「第１ＣＲＴの」「画面上の画像を編集して第2ＣＲＴに表示する編集手段」と、本願補正発明の「表示手段の」「画面上の画像を編集後の画像に切り換える編集手段」とは、何れも「表示手段の」「画面上の画像を編集して表示する編集手段」である点で共通する。
　したがって、本願補正発明と刊行物１発明とは「前記表示手段によって前記一覧表示された画面上、および前記１駒が表示された画面上の何れにおいても、画像の回転、画像のズーミングおよびパン、プリントタイプの何れか一つが含まれる画像の表示属性を表示画面上の１駒または複数の駒に対して編集可能とし、前記表示手段の前記一覧表示された画面上または前記１駒が表示された画面上の画像を編集して表示する編集手段」を備える点で共通している。
　
　したがって、本願補正発明と刊行物１発明の一致点及び相違点は次のとおりである。
　
（一致点）
　「複数の画像を画面上に一覧表示、または前記複数の画像の内の任意の１駒の画像を表示する単一の表示手段と、
　前記表示手段によって前記一覧表示された画面上、および前記１駒が表示された画面上の何れにおいても、画像の回転、画像のズーミングおよびパン、プリントタイプの何れか一つが含まれる画像の表示属性を表示画面上の１駒または複数の駒に対して編集可能とし、前記表示手段の前記一覧表示された画面上または前記１駒が表示された画面上の画像を編集して表示する編集手段と、
　を備えた画像表示装置。」
　
（相違点１）
　本願補正発明においては、「記録媒体に記録された複数の画像を指示にしたがって分類可能とし、その分類情報を記録する分類手段」を備え、表示手段に表示し編集する対象である画像が、「前記分類手段によって前記分類された複数の画像」であるのに対し、刊行物１発明では、そのような分類手段により分類された画像を対象とするかどうかは特定されていない点。
　
（相違点２）
　画像の表示属性を表示画面上の１駒または複数の駒に対して編集可能とする編集手段において、複数の駒が、本願補正発明では、画面上のすべての駒であるのに対し、刊行物１発明では、一連の駒である点。
　
（相違点３）
　編集手段により表示手段の画面上の画像を編集して表示する際に、本願補正発明においては、「画面上の画像を編集後の画像に切り換える」のに対し、刊行物１発明では、画面（第１ＣＲＴ）上の画像を編集して第2ＣＲＴに表示する点。
　
（相違点４）
　本願補正発明は、「前記編集手段によって編集された前記表示属性を前記画像とともに記録する記録手段とを備えた」ものであるのに対し、刊行物１発明では、そのような手段を備えていない点。
　
（４）当審の判断
（相違点１）について
　記録媒体に記録された複数の画像を指示にしたがって分類して記録しそれを表示手段に表示して処理の対象とすることは、刊行物２（上記「（２）ケ．」）に記載されているように周知技術であるから、刊行物１発明において、記録媒体に記録された複数の画像を指示にしたがって分類可能とし、その分類情報を記録する分類手段を備え、前記分類手段によって前記分類された画像を対象とすることは当業者が容易に想到できたことである。
　
（相違点２）について
　刊行物１発明において、一連の駒を編集（天地反転）するのは、１度の操作で直すことにより、作業のスピードアップを可能にするため（上記「（２）ウ．」、「（２）ク．」）であるから、例えば、すべての駒が反転している場合などにも作業のスピードアップを可能にするために、すべての駒に対して編集（天地反転）可能とすることは当業者が必要に応じて適宜なし得た事項にすぎない。
　
（相違点３）について
　編集手段により表示手段の画面上の画像を編集して表示する際に、単一の画面を用いて画面上の画像を編集後の画像に切り換えることは、画像処理の分野における周知慣用の技術（下記（＊））である。また、刊行物１発明が、画面（第１ＣＲＴ）上の画像を編集して第２ＣＲＴに表示する構成とする理由は、入力画像と編集後の画像との両方を操作者が表示装置上で見て編集を行うことで作業を容易で効率的にするため（上記「（２）ア．」、「（２）ク．」）であるから、特にそのような要請がなければ、刊行物１発明においても、第２ＣＲＴを使用せずに、上記周知慣用の技術のように、単一の画面を用いて画面上の画像を編集後の画像に切り換える構成とすることは当業者が容易に想到し得たことである。
　
（＊）（例えば、特開平８−９５５５１号公報の「変換前に図４ａの状態で画像表示エリア１に表示されていた画像は、図４ｂに示すように右回りに９０°回転して表示される。」（【００１９】）、特開昭６０−２５０４８２号公報の「第７図は９０°回転の一例で、（ａ）は回転前の表示画面、（ｂ）は回転後の表示画面である。」（第２頁右下欄）を参照）
　
（相違点４）について
　刊行物３には、「駒番号、画像アドレス、および、変更した出画順などの情報からなるアルバム情報ファイルと画像ファイルとをディスクにセーブすること」が記載されている。
　刊行物３の「変更した出画順などの情報からなるアルバム情報ファイル」は、編集された画像の属性といえるものであり、また、例えば、特開平５−３７７４５号公報にも「光磁気ディスク等の画像ファイル用メモリに原画像データと、その加工／編集データとを別に格納して管理すること」（【要約】）が記載されているように、編集手段によって編集された画像の属性を前記画像とともに記録媒体などに記録することは周知技術である。
　したがって、刊行物１発明における編集手段によって編集された画像に対して、上記周知技術を用いて、画像の表示属性を前記画像とともに記録する記録手段を備えることは当業者が容易に想到できたことである。
　
（５）むすび
　以上により、本願補正発明は、刊行物１ないし３に記載された発明及び周知技術に基づいて、当業者が容易に発明をすることができたものであるから、特許法第２９条第２項の規定により特許出願の際独立して特許を受けられないものである。
　
４．補正却下の決定のまとめ
　したがって、本件補正は、特許法第１７条の２第３項の規定に違反してなされたものであるから、同法第１５９条第１項において読み替えて準用する同法第５３条第１項の規定により却下すべきものである。あるいは、本件補正は、平成１８年改正前特許法第１７条の２第５項において準用する同法第１２６条第５項の規定に違反してなされたものであるから、同法第１５９条第１項において読み替えて準用する同法第５３条第１項の規定により却下すべきものである。
　
第３．本願発明について
１．本願発明
　平成２０年３月２１日付けの手続補正は上記のとおり却下されたので、本願の請求項に係る発明は、平成１９年１１月２９日付け手続補正書の特許請求の範囲の請求項１ないし４に記載された事項により特定されるものであるところ、その請求項１に係る発明（以下、「本願発明」という）は、以下のとおりのものである。
  
「記録媒体に記録された複数の画像を指示にしたがって分類可能とし、その分類情報を記録する分類手段と、
　前記分類手段によって前記分類された複数の画像を画面上に一覧表示、または前記複数の画像の内の任意の１駒の画像を表示する表示手段と、
　前記表示手段によって前記一覧表示された画面上、および前記１駒が表示された画面上の何れにおいても画像の表示属性を各分類に含まれる１駒またはすべての駒に対して編集可能とし、前記表示手段の前記一覧表示された画面上または前記１駒が表示された画面上の画像を編集後の画像に切り換える編集手段と、
　前記編集手段によって編集された前記表示属性を前記画像とともに記録する記録手段とを備えたことを特徴とする画像表示装置。」
　
２．刊行物
　原査定で引用された刊行物、及び、その記載事項は、前記「第２．３．（２）」に記載したとおりである。
　
３．対比・判断
　本願発明は、前記「第２．３．」で検討した本願補正発明の限定事項である構成を省いたものである。
　そうすると、本願発明の特定事項を全て含み、さらに他の特定事項を付加したものに相当する本願補正発明が前記「第２．３．（４）」に記載したとおり、刊行物１ないし３に記載された発明及び周知技術に基づいて、当業者が容易に発明をすることができたものであるから、本願発明も、同様の理由により、刊行物１ないし３に記載された発明及び周知技術に基づいて当業者が容易に発明をすることができたものである。
　
第４．まとめ
　以上のとおり、本願の請求項１に係る発明は、刊行物１ないし３に記載された発明及び周知技術に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。